(57)【要約】【課題】壁に掛けることもでき、スタンドを用いて立てることも可能な電子機器において、スタンドの取付構造を、部品点数を節減しつつ十分な強度を得られるようにする。【解決手段】テレビジョン受像機１のキャビネット１０の合成樹脂製裏蓋１２には、内面に補強用金具４０が固定される。補強用金具４０に形成されたねじ穴４２を利用して、裏蓋１２に壁掛け用金具３０を取り付けることができる。補強用金具４０には切り欠き部４１が設けられ、その両側に左右１対の切り起こし片４４が形成されている。左右の切り起こし片４４の間にスタンド２０の根元部を入れ、水平にシャフト４５を貫通させて、スタンド２０を回転可能に取り付ける。【選択図】図５
2008078706.tif 000002
【特許請求の範囲】
【請求項１】
キャビネットの合成樹脂製裏蓋に、壁掛け用金具の取り付けを可能にする補強金具を固定するとともに、この補強金具にスタンドの取付構造を設けるものであって、
前記スタンド取付構造は、前記補強金具に前記スタンドの根元部を受け入れる間隔をもって形成された１対の切り起こし片と、これら１対の切り起こし片とその間のスタンドを貫通するシャフトからなることを特徴とするテレビジョン受像機。
【請求項２】
キャビネットの合成樹脂製裏蓋に、壁掛け用金具の取り付けを可能にする補強金具を固定するとともに、この補強金具に、スタンドの取付構造を設けたことを特徴とする電子機器。
【請求項３】
前記取付構造は、前記補強金具に前記スタンドの根元部を受け入れる間隔をもって形成された１対の切り起こし片と、これら１対の切り起こし片とその間のスタンドを貫通するシャフトからなることを特徴とする請求項２に記載の電子機器。
【発明の詳細な説明】
【技術分野】
【０００１】
本発明は、薄型テレビジョン受像機のように壁に掛けて使用することが可能な電子機器に関する。
【背景技術】
【０００２】
電子機器の中でも映像機器に属するもの、例えばテレビジョン受像機やパーソナルコンピュータのモニタなどは、映像表示手段が液晶パネルやプラズマディスプレイパネルなどに置き換わりつつあることに伴い、壁に掛けることもできるような薄型構造のものが主流になっている。この種電子機器では、写真スタンドのようなスタンド構造を用いてテーブルの上や床の上に直置きするといったことも良く行われる。そのようなスタンドを有するテレビジョン受像機の例を特許文献１に見ることができる。
【特許文献１】特開２００６−１７３８４８号公報（第７−１０頁、図１−１３）
【発明の開示】
【発明が解決しようとする課題】
【０００３】
本発明は、壁に掛けることもでき、スタンドを用いて立てることも可能な電子機器において、スタンドの取付構造を、部品点数を節減しつつ十分な強度を得られるようにすることを目的とする。
【課題を解決するための手段】
【０００４】
上記目的を達成するために、請求項１の発明は、キャビネットの合成樹脂製裏蓋に、壁掛け用金具の取り付けを可能にする補強金具を固定するとともに、この補強金具にスタンドの取付構造を設けるテレビジョン受像機であって、前記スタンド取付構造は、前記補強金具に前記スタンドの根元部を受け入れる間隔をもって形成された１対の切り起こし片と、これら１対の切り起こし片とその間のスタンドを貫通するシャフトからなることを特徴としている。
【０００５】
この構成によると、テレビジョン受像機のキャビネットの合成樹脂製裏蓋に、壁掛け用金具の取り付けを可能にするために固定された補強金具を利用してスタンドの取付構造を設けるものであるから、スタンド用に別個の補強金具を用意する必要がなく、部品点数を節減できる。また、壁掛け用金具を取り付ける補強金具は、テレビジョン受像機の吊り下げに耐えられる強度を備えており、この補強金具を利用してスタンドを取り付けるので、スタンドの取付強度を十分に確保できる。さらに、各方向からスタンドに加わる力に耐えてスタンドをしっかりと保持する取付構造とすることができる。
【０００６】
請求項２の発明は、電子機器において、キャビネットの合成樹脂製裏蓋に、壁掛け用金具の取り付けを可能にする補強金具を固定するとともに、この補強金具に、スタンドの取付構造を設けたことを特徴としている。
【０００７】
この構成によると、電子機器のキャビネットの合成樹脂製裏蓋に、壁掛け用金具の取り付けを可能にするために固定された補強金具を利用してスタンドの取付構造を設けるものであるから、スタンド用に別個の補強金具を用意する必要がなく、部品点数を節減できる。また、壁掛け用金具を取り付ける補強金具は、電子機器の吊り下げに耐えられる強度を備えており、この補強金具を利用してスタンドを取り付けるので、スタンドの取付強度を十分に確保できる。
【０００８】
請求項３の発明は、請求項２に記載の電子機器において、前記取付構造は、前記補強金具に前記スタンドの根元部を受け入れる間隔をもって形成された１対の切り起こし片と、これら１対の切り起こし片とその間のスタンドを貫通するシャフトからなることを特徴としている。
【０００９】
この構成によると、各方向からスタンドに加わる力に耐えてスタンドをしっかりと保持する取付構造とすることができる。
【発明の効果】
【００１０】
以上のように本発明の電子機器は、キャビネットの合成樹脂製裏蓋に、壁掛け用金具の取り付けを可能にするために固定された補強金具を利用してスタンドの取付構造を設けたから、部品点数を節減しつつ、十分な強度をもってスタンドを取り付けることができる。
【発明を実施するための最良の形態】
【００１１】
以下、添付図面を参照しつつ本発明に係る電子機器の実施形態を説明する。図１は背面斜視図、図２はスタンドによって立てた状態の側面図、図３は壁掛け用金具を取り付けた状態の背面斜視図、図４は壁掛け用金具によって壁に掛けた状態の側面図、図５は部分背面図、図６は補強金具の正面図、図７は補強金具の部分拡大断面図、図８及び図９はスタンドの角度安定装置の断面図にして互いに異なる状態を示すものである。
【００１２】
電子機器として例示するのはテレビジョン受像機１である。テレビジョン受像機１は液晶パネルやプラズマディスプレイパネルなどを映像表示手段とする薄型構造のものであり、キャビネット１０は、映像表示手段を囲む額縁状のベゼル１１と、それにねじ止めされる裏蓋１２からなる。ベゼル１１も裏蓋１２も合成樹脂製である。
【００１３】
裏蓋１２の中央にはスタンド２０が配置される。スタンド２０はＴの字を倒立させた形状であり、裏蓋１２にはこのスタンド２０を収納する凹部１３が形成されている。スタンド２０は、収納状態では裏蓋１２の垂直平面と面一をなす。スタンド２０の下端に指を掛けて引くと、スタンド２０は上端を中心として回動し、図２に示すようにテレビジョン受像機１に対し所定の角度をなすように引き出される。テレビジョン受像機１はこのようなスタンド引き出し状態でテーブルの上や床の上に直置きして映像を鑑賞することができる。
【００１４】
図３に見られるように、裏蓋１２には壁掛け用金具３０の取り付けが可能である。壁掛け用金具３０は第１プレート３１と第２プレート３２を蝶番のように組み合わせたものである。第１プレート３１にはこれを裏蓋１２に固定するねじ３３を通す透孔３４が、縦２列に複数個ずつ並ぶ形で設けられている。第２プレート３２には、壁にねじ止め固定される板金製ベース３５のフック３６を通す透孔３７が形成される。フック３６は横並びに２個プレス成形されており、これに合わせて透孔３７も横並びに２個設けられている。
【００１５】
壁掛け用金具３０とベース３５により、テレビジョン受像機１は図４のように壁に掛けて使用することができる。壁掛け用金具３０の第１プレート３１と第２プレート３２の間には図示しない角度調節機構が設けられていて、これによりテレビジョン受像機１の角度を調節することができる。
【００１６】
壁掛け用金具３０を裏蓋１２に固定するねじ３３は、合成樹脂の強度の関係で裏蓋１２に直接ねじ込むことができない。そこで、裏蓋１２の内面に補強金具４０（図５参照）を固定し、この補強金具４０に形成したねじ穴にねじ３３をねじ込む。補強金具４０は左右対称の門の形をしていて、中央には切り欠き部４１があり、この切り欠き部４１を挟むように左右２個ずつ計４個のねじ穴４２が設けられている（図６参照）。ねじ穴４２は、図７に見られるように、補強金具４０に筒状のスエージング加工を施した上でその内面にタップを立てたものであり、これにより所定のねじ込み深さを確保し、テレビジョン受像機１の重量を支えられるようにしている。
【００１７】
補強金具４０には複数の透孔４３が形成されていて、この透孔４３を通じ図示しないねじを裏蓋１２にねじ込むことにより、補強金具４０は裏蓋１２に固定される。補強金具４０を裏蓋１２に固定した状態で、ねじ穴４２は裏蓋１２に形成した透孔１４から露出し、また切り欠き部４１は凹部１３に設けた図示しない窓から露出する。
【００１８】
切り欠き部４１の両側には、左右１対をなす垂直な切り起こし片４４が形成されている。左右の切り起こし片４４は、その間にスタンド２０の根元部（Ｔの字の縦画の部分）を受け入れる間隔で配置されている。前記窓からスタンド２０の根元を入れて左右の切り起こし片４４の間に位置させ、スタンド２０及び切り起こし片４４を水平に貫通する金属製のシャフト４５を通せば、スタンド２０はシャフト４５を中心として回動自在に補強金具４０に支持されることになる。シャフト４５が通るのはスタンド２０の上端である。
【００１９】
組立にあたっては、補強金具４０を裏蓋１２の内側に保持した状態で、裏蓋１２の外側から挿入したスタンド２０の根元部を切り起こし片４４の間に位置させる。こうしておいてシャフト４５を通し、補強金具４０を裏蓋１２に固定すると、図５に見られるように、裏蓋１２の内面に形成した左右１対の垂直なリブ１５の間にシャフト４５が入り込み、シャフト４５は軸線方向に抜けなくなる。
【００２０】
スタンド２０は図１のように凹部１３に収納された姿勢と、図２のように凹部１３から引き出された姿勢とを選択可能であるが、いずれの姿勢においてもスタンド３０ががたつかないようにしなくてはならない。そのために設けられる角度安定装置５０も、補強金具４０を裏蓋１２に固定することによって所定位置に保持されるものである。
【００２１】
角度安定装置５０の主要部分をなすのは、上下可能なスライドブロック５１と、これをスタンド２０の方に押し付ける圧縮コイルばね５２である。圧縮コイルばね５２は２個設けられる。圧縮コイルばね５２の下端はスライドブロック５１の上面に形成された凹部５３に嵌合し、上端は裏蓋１２の内面に形成された水平なリブ１６の下面に係合する。圧縮コイルばね５２は、切り欠き部４１の上端に形成された水平な切り起こし片４６にスライドブロック５１を押し付ける。なおスライドブロック５１は、切り起こし片４６に押し付けられた状態でもキャビネット１０の外側に出ることはない。
【００２２】
スライドブロック５１の下面には凹部５４が形成される。これに対応して、スタンド２０には突起２１が形成される。図８のようにスタンド２０を収納状態にすると、突起２１が凹部５４に係合する。突起２１の先端はシャフト４５の中心より少し右側に位置しているので、スタンド２０には図において時計回りのモーメントが作用し、凹部１３から浮き上がることなくぴったりと収納される。
【００２３】
図８の姿勢から図９の姿勢までスタンド２０を回転させて行くと、突起２１が圧縮コイルばね５２の圧力に抗してスライドブロック５１を押し上げ、凹部５４から抜け出す。突起２１はこれにより死点を乗り越える形になる。突起２１が切り起こし片４６に当たると、スタンド２０はそれ以上回転できない。すなわち切り起こし片４６はスタンド２０に対し回転ストッパの役割を果たす。この時突起２１の先端を上から押すスライドブロック５１は、スタンド２０に対し反時計回りのモーメントを与える。これによりスタンド２０はその引き出し姿勢を安定して保つ。
【００２４】
以上本発明の実施形態につき説明したが、発明の主旨を逸脱しない範囲でさらに種々の変更を加えて実施することができる。
【産業上の利用可能性】
【００２５】
本発明は、壁掛けとスタンドを利用した直置きの両態様が可能な電子機器、特に薄型テレビジョン受像機に利用可能である。
【図面の簡単な説明】
【００２６】
【図１】電子機器の背面斜視図
【図２】スタンドによって立てた状態の側面図
【図３】壁掛け用金具を取り付けた状態の背面斜視図
【図４】壁掛け用金具によって壁に掛けた状態の側面図
【図５】部分背面図
【図６】補強金具の正面図
【図７】補強金具の部分拡大断面図
【図８】スタンドの角度安定装置の断面図
【図９】スタンドの角度安定装置の断面図にして、図８と異なる状態を示すもの
【符号の説明】
【００２７】
１    テレビジョン受像機
１０  キャビネット
１１  ベゼル
１２  裏蓋
２０  スタンド
３０  壁掛け用金具
４０  補強金具
４４  切り起こし片
４５  シャフト
【図１】
2008078706.tif 000003
【図２】
2008078706.tif 000004
【図３】
2008078706.tif 000005
【図４】
2008078706.tif 000006
【図５】
2008078706.tif 000007
【図６】
2008078706.tif 000008
【図７】
2008078706.tif 000009
【図８】
2008078706.tif 000010
【図９】
2008078706.tif 000011